(57)【要約】  【課題】   ボルトの締めすぎを防止できる、温水洗浄便座装置の連結構造の提供。  【解決手段】  便器１０の後部に形成された取付孔１４に挿入される円筒形弾性変形部７０と、前記円筒形弾性変形部７０に挿入され、下側及び上側に夫々ネジ部６２及びストッパ部６４が形成されたボルト６０と、前記円筒形弾性変形部７０に設けられ且つ前記ボルトネジ部６２に螺合され、前記ボルト６０の上側からの一方向回転操作により上方向に移動して前記円筒形弾性変形部７０を周方向に拡張せしめるナットとを備えたことを特徴とする、温水洗浄便座装置の連結構造を構成した。【選択図】  図１
2006241944.tif 000002
【特許請求の範囲】
【請求項１】
便器の後部に形成された取付孔に挿入される円筒形弾性変形部と、前記円筒形弾性変形部に挿入され、下側及び上側に夫々ネジ部及びストッパ部が形成されたボルトと、前記円筒形弾性変形部に設けられ且つ前記ボルトネジ部に螺合され、前記ボルトの上側からの一方向回転操作により上方向に移動して前記円筒形弾性変形部を周方向に拡張せしめるナットとを備えたことを特徴とする、温水洗浄便座装置の連結部材。
【請求項２】
円筒形弾性変形部と、前記円筒形弾性変形部の上端部が固定される樹脂製ワッシャーと、前記樹脂製ワッシャー及び前記円筒形弾性変形部に回転可能に挿入され、下側及び上側に夫々ネジ部及びストッパ部が形成されたボルトと、前記円筒形弾性変形部に設けられ且つ前記ボルトネジ部に螺合されたナットとからなる組み立て体として構成され、便器の後部に形成された取付孔に前記円筒形弾性変形部に挿入可能な、温水洗浄便座装置の連結部材。
【発明の詳細な説明】
【技術分野】
【０００１】
本発明は、温水洗浄便座装置の連結装置に関し、特に、便器と温水洗浄便座装置とを着脱自在に連結する連結部材に関する。
【背景技術】
【０００２】
温水洗浄便座装置を便器の後部に設置するに際しては、周知のように、便器の後部に形成された取付孔に挿入される連結部材を用いる。しかして、連結部材としては、多種多様なものが提供されているが、便器の上側のみから操作できる点で作業性が良いとされている温水洗浄便座装置の連結部材としては、例えば、特許文献１に開示されるものがある。
【０００３】
すなわち、特許文献１に開示される温水洗浄便座装置の連結部材は、便器の後部に形成された取付孔に挿入される円筒形弾性変形部と、前記円筒形弾性変形部に挿入され、頭部以外は全長に亘ってネジ部が形成されたボルトと、前記円筒形弾性変形部に設けられ且つ前記ネジ部に螺合され、前記ボルトの上側からの一方向回転操作により上方向に移動して前記円筒形弾性変形部を周方向に拡張せしめるナットとを備えている。かような温水洗浄便座装置の連結部材においては、ボルトの上側からの一方向回転操作により上方向に移動するナットにより円筒形弾性変形部が周方向に拡張する。そして、周方向に拡張した円筒形弾性変形部が、ナットと便器の取付穴の内壁に堅牢に挟持されたときに、連結部材側にある温水洗浄便座装置が便器に間接的に且つ着脱自在に固定されることになる。
【特許文献１】実開昭６２−７２３７２号公報
【発明の開示】
【発明が解決しようとする課題】
【０００４】
上記した、特許文献１に開示される温水洗浄便座装置の連結部材においては、ボルトの上側からの一方向回転操作により上方向に移動するナットにより円筒形弾性変形部が周方向に拡張し、この周方向に拡張した円筒形弾性変形部が、ナットと便器の取付穴の内壁に堅牢に挟持されたときに、連結部材側にある温水洗浄便座装置が便器に間接的に且つ着脱自在に固定されることになる。しかし、ボルトの回転量が過大の場合（つまりボルトの締めすぎの場合）、円筒形弾性変形部が過度に圧縮されて、復元性が損なわれる可能性がある。そうなると、便器の上面全体の清掃のために温水洗浄便座装置を取り外した後、再度の装着の場合、円筒形弾性変形部の周方向への拡張が上手くいかず、連結部材側にある温水洗浄便座装置の便器への固定が不確実となる可能性がる。
【０００５】
それ故に、本発明は、かような不具合のない温水洗浄便座装置の連結部材を提供することを、その技術的課題とする。
【課題を解決するための手段】
【０００６】
上記の課題を解決するために講じた技術的手段は、請求項１に記載のように、
「便器の後部に形成された取付孔に挿入される円筒形弾性変形部と、前記円筒形弾性変形部に挿入され、下側及び上側に夫々ネジ部及びストッパ部が形成されたボルトと、前記円筒形弾性変形部に設けられ且つ前記ボルトネジ部に螺合され、前記ボルトの上側からの一方向回転操作により上方向に移動して前記円筒形弾性変形部を周方向に拡張せしめるナットとを備えたことを特徴とする、温水洗浄便座装置の連結部材。」
を構成したことである。
【０００７】
上記の課題を解決するために講じた技術的手段は、請求項２に記載のように、
「円筒形弾性変形部と、前記円筒形弾性変形部の上端部が固定される樹脂製ワッシャーと、前記樹脂製ワッシャー及び前記円筒形弾性変形部に回転可能に挿入され、下側及び上側に夫々ネジ部及びストッパ部が形成されたボルトと、前記円筒形弾性変形部に設けられ且つ前記ボルトネジ部に螺合されたナットとからなる組み立て体として構成され、便器の後部に形成された取付孔に前記円筒形弾性変形部が挿入可能な、温水洗浄便座装置の連結部材。」を構成したことである。
【発明の効果】
【０００８】
請求項１で定義される本発明に係る温水洗浄便座装置の連結部材によれば、ボルトの上側からの一方向回転操作により上方向に移動するナットにより円筒形弾性変形部が周方向に拡張し、この周方向に拡張した円筒形弾性変形部が、ナットと便器の取付穴の内壁に堅牢に挟持されたときに、連結部材側にある温水洗浄便座装置が便器に間接的に且つ着脱自在に固定されることになる。しかし、ナットの上昇量はストッパ部により規制されるので、ボルトが過大に回転される事態（つまりボルトの締めすぎ）は惹起されず、円筒形弾性変形部が過度に圧縮されて復元性が損なわれることはない。
【０００９】
請求項２で定義される本発明に係る温水洗浄便座装置の連結部材によれば、温水洗浄便座装置の連結部材は組み立て体として構成されているので、全ての構成要素が離れ離れにならず、便器の取付穴に、そのまま挿入するだけであるため、施工が簡単である。そして、便器の後部に形成された取付孔に円筒形弾性変形部が挿入された後は、請求項１で定義される発明と同様な効果を奏する。
【発明を実施するための最良の形態】
【００１０】
以下、本発明の実施形態の例について、図面に基づいて説明する。
【００１１】
図１に示されるように、便器１０の後部の据付部１２には、連結部材２０により、プレート３０が固定されている。プレート３０には、温水洗浄便座装置４０のケース４２の底部４４が着脱自在に、スライド式に結合されている。すなわち、ケース４２の底部４４とプレート３０とが図示されない機構により凹凸嵌合されており、通常は、ケース４２の底部４４とプレート３０とはロックされて両者は不離一体化されているも、このロックが解除された場合は、ケース４２の底部４４とプレート３０とは相対移動可能な状態とされ、温水洗浄便座装置４０全体を便器１０の前方（図１では右方向）に引き出すことにより、温水洗浄便座装置４０を、便器１０から取り外し、便器１０の表面を清掃可能としている。
【００１２】
図２に示されるように、連結部材２０は、樹脂製ワッシャー５０を回転可能に貫通するボルト６０を備える。ボルト６０の下側及び上側には、夫々、ネジ部６２及びストッパ部６４が形成される。樹脂製ワッシャー５０の下側には、筒部５２が一体形成されており、この筒部５２には、ボルト６０を遊嵌状態で内装する円筒形弾性変形部７０の上端部が固定的に外装されている。円筒形弾性変形部７０の下端部の内部には、ボルト６０のネジ部６２上を螺進するナット８０が固定されている。かくして、連結部材２０は、円筒形弾性変形部７０と、円筒形弾性変形部７０の上端部が固定される樹脂製ワッシャー５０と、樹脂製ワッシャー５０及び円筒形弾性変形部７０に回転可能に挿入され、下側及び上側に夫々ネジ部６２及びストッパ部６４が形成されたボルト６０と、円筒形弾性変形部７０に設けられ且つボルトネジ部６２に螺合されたナット８０とから構成される、ボルト組み立て体を構成する。
【００１３】
かようなボルト組み立て体として構成される連結部材２０は、以下のような手順で、プレート３０を、便器１０の後部の据付部１２に固定する。すなわち、まず、図４に示されるように、ボルト組み立て体たる連結部材２０の円筒形弾性変形部７０を、プレート３０の穴３２を介して、便器１０の据付部１２の穴１４内に挿入すると、樹脂製ワッシャー５０がプレート３０と係合して、円筒形弾性変形部７０及びその中に位置するボルト６０は、恰もプレート３０から垂下している態様となる。この状態で、ボルト６０を一方向に回転させると、一方向に回転するネジ部６２は、上端部が固定状態の円筒形弾性変形部７０の自由端側たる下端部内に固定のナット８０に螺合しているので、ナット８０はネジ部６２に沿って、ストッパ６４に係合するまで上昇する。
【００１４】
しかして、上端部が固定状態の円筒形弾性変形部７０の自由端側たる下端部内に固定のナット８０が上昇すると、円筒形弾性変形部７０は半径方向に拡張し、ナット８０が上昇し尽くしてストッパ６４に係合した時点では、円筒形弾性変形部７０は半径方向に相当量拡張して、便器１０の据付部１２穴１４の内壁に押圧する。この押圧は、円筒形弾性変形部７０の抜け方向への移動を阻止する摩擦力として作用し、温水洗浄便座装置４０と一体されたプレート３０を便器１０に固定する。
【００１５】
すなわち、ボルト６０の上側からの一方向回転操作により上方向に移動するナット８０により円筒形弾性変形部７０が周方向に拡張し、この周方向に拡張した円筒形弾性変形部７０が、ナット８０と便器１０の取付穴１４の内壁に堅牢に挟持されたときに、連結部材２０側にある温水洗浄便座装置４０が便器１０に間接的に且つ着脱自在に固定されることになる。しかして、ナット８０の上昇量はストッパ部６４により規制されるので、ボルト６０が過大に回転される事態（つまりボルト６０の締めすぎ）は惹起されず、円筒形弾性変形部７０が過度に圧縮されて復元性が損なわれることはない。
【図面の簡単な説明】
【００１６】
【図１】本発明の一実施形態例に係る温水洗浄便座装置の連結部材が採用されるトイレの側面図である。
【図２】本発明の一実施形態例に係る温水洗浄便座装置の連結部材の単品の断面図である。
【図３】本発明の一実施形態例に係る温水洗浄便座装置の連結部材が連結機能を開始した時の断面図である。
【図４】本発明の一実施形態例に係る温水洗浄便座装置の連結部材が連結機能を最大限に発揮した時の断面図である。
【符号の説明】
【００１７】
１０：便器
１２：据付部
１４：取付孔
２０：連結部材
５０：樹脂製ワッシャー
６０：ナット
６２：ネジ部
６４：ストッパ部
７０：円筒形弾性変形部
８０：ナット
【図１】
2006241944.tif 000003
【図２】
2006241944.tif 000004
【図３】
2006241944.tif 000005
【図４】
2006241944.tif 000006